(57)【要約】【課題】光コネクタの取り付けに係る作業性の向上を図り、以て量産性の向上も図ることが可能な平面光配索体の端末処理構造及び端末処理方法を提供する。【解決手段】平面光配索体１は、この複数の端末２に光コネクタ３がそれぞれ取り付けられている。光コネクタ３は、光結合相手となる相手光コネクタ１５の嵌合部分として設けられている。光コネクタ３は、構造体であって、第一光結合部品１６と、この第一光結合部品１６に係合する第二光結合部品１７とを備えて構成されている。複数の光ファイバ６を挟み込むように第一光結合部品１６及び第二光結合部品１７を係合させ、この後に接着剤１８を硬化させると、端末２への光コネクタ３の取り付けが完了する構造になっている。【選択図】図１
2013156610.tif 000002
【特許請求の範囲】
【請求項１】
平面的に並ぶ複数の光ファイバを構成に含む平面光配索体の複数の端末に設けられる構造体として光コネクタを採用する平面光配索体の端末処理構造において、
前記光コネクタは、前記端末における前記光ファイバに対しこの光軸に直交方向から前記光ファイバを挟み込むように係合する第一光結合部品及び第二光結合部品を含む
ことを特徴とする平面光配索体の端末処理構造。
【請求項２】
請求項１に記載の平面光配索体の端末処理構造において、
前記第一光結合部品及び前記第二光結合部品のいずれか一方に係止突起を有する可撓性のフック部を形成し、いずれか他方には前記係止突起を引っ掛ける係止凹部を形成し、さらには、前記光ファイバを三点支持する支持手段を前記第一光結合部品及び前記第二光結合部品に跨って形成する
ことを特徴とする平面光配索体の端末処理構造。
【請求項３】
請求項２に記載の平面光配索体の端末処理構造において、
前記いずれか一方に、前記直交方向に貫通する角窓を形成し、前記いずれか他方には前記角窓に対応する位置に浅底の凹部を形成する
ことを特徴とする平面光配索体の端末処理構造。
【請求項４】
請求項２又は３に記載の平面光配索体の端末処理構造において、
前記第一光結合部品の先端面又は前記第二光結合部品の先端面に相手光コネクタ用ガイド部を形成する
ことを特徴とする平面光配索体の端末処理構造。
【請求項５】
平面的に並ぶ複数の光ファイバを構成に含む平面光配索体の複数の端末を、前記光ファイバの露出状態に形成する第一工程と、
前記端末における前記光ファイバに対しこの光軸に直交方向から前記光ファイバを挟み込むように第一光結合部品及び第二光結合部品を係合させて光コネクタを取り付ける第二工程と、
を含む
ことを特徴とする平面光配索体の端末処理方法。
【発明の詳細な説明】
【技術分野】
【０００１】
本発明は、複数の光ファイバを平面的に並べてなる平面光配索体の端末処理構造及び端末処理方法に関する。
【背景技術】
【０００２】
自動車の安全、快適  利便性を向上させるため、様々なシステムが導入されている。特に、カメラによる周辺監視システムや高精細画像によるリヤシートエンターテイメント等においては大容量通信が必要なため、メタル通信に変わり光通信が期待されている。信号伝送に光ファイバを使用した光配線は、大容量化、低ノイズ化、軽量化を図ることができる特徴を有する。
【０００３】
自動車内の信号伝送の情報量増大により、車両内を配索する光ファイバの本数が増大すると、光ケーブルの配索が複雑になり、配索スペースが増大する。このため、光ファイバを簡易に一括配線でき、省スペース化を実現できる平面的な光配索体の開発が必要である。平面光配索体は、外部との接続箇所にあたる位置、すなわち端末に光コネクタ（例えばＭＴ、ＭＰＯ、他）が設けられるようになっている。光コネクタに関しては、低損失・高信頼性が重要であるのは勿論のこと、広く普及させるためとして生産性の向上も重要になっている。
【０００４】
平面的な光配索体（以下では平面光配索体と呼ぶ。）の従来技術としては、下記特許文献１、３に示される光ファイバを基材フィルムと保護フィルムで挟んだ構造のものがある。平面光配索体の端末部分には、汎用的な光コネクタ（ＭＴ、ＭＰＯコネクタ等）が採用されており、光コネクタの組み立てにおいて、光ファイバの先端を研磨する工程が必要なため組み立てに手間と時間が掛かる。
【０００５】
下記特許文献２に示される研磨工程をなくしたＭＴコネクタの組み立て方法を平面光配索体の端末部分に採用すると、光コネクタの組み立てが容易になる。以下に、研磨工程が必要ないＭＴコネクタを取り付ける作業工程について説明する。
【０００６】
ＭＴコネクタの取り付けに係り、先ず光ファイバの被覆除去を行う。次に、光ファイバが所望の長さになるようにクリーブカットを行い平滑な光ファイバ先端を得る。次に、組立工具を用いて光コネクタの取り付けを行う。ＭＴフェルールを工具にセットし、光ファイバをＭＴフェルールの孔に挿入し、フェルール先端より光ファイバが突き出す状態で、フェルール後端でクランプ等で固定する。その後、ＭＴ光コネクタ（ダミーフェルール）を嵌合させると、突き出した光ファイバがフェルール内部に押し込まれ、光ファイバが撓みながら光ファイバの先端位置がフェルール先端位置に調整される。この状態で、接着剤により光ファイバをＭＴフェルールに固定する。接着剤の硬化後、クランプの開放、ダミーフェルールの解除を行い、ＭＴコネクタを組立工具より取り外すと一連の作業工程が完了する。
【先行技術文献】
【特許文献】
【０００７】
【特許文献１】特開２００１−３３０７３８号公報
【特許文献２】特開２０００−２５８６６２号公報
【特許文献３】特許第３７９２１７４号公報
【発明の概要】
【発明が解決しようとする課題】
【０００８】
ところで、従来の平面光配索体にあっては、この端末に光コネクタを取り付ける作業が煩雑になるという問題点を有している。また、これにより量産性が悪いという問題点も有している。もう少し具体的に説明をすると、ＭＴ光コネクタを平面光配索体の端末に取り付ける作業をする場合、上記説明の如く被覆除去、ファイバクリーブカット、ファイバ挿入、位置合わせ、接着固定と多くの工程を必要とすることから作業が煩雑になってしまい、結果、量産性が悪いという問題点を有している。
【０００９】
尚、上記のファイバ挿入、位置合わせの工程においては、特殊で高度の熟練さを必要とすることから、工程の簡素化を図ることが困難になってしまうという問題点も併せ持っている。
【００１０】
この他、平面光配索体は端末が複数あることから、平面光配索体の異なる二辺や三辺等に端末がある場合には、同時にファイバ挿入等の工程を行うことができず、結果、一端末ごとに取り付け作業を行わなければならないことから、作業が一層煩雑になってしまうという問題点を有している。
【００１１】
本発明は、上記した事情に鑑みてなされたもので、光コネクタの取り付けに係る作業性の向上を図り、以て量産性の向上も図ることが可能な平面光配索体の端末処理構造及び端末処理方法を提供することを課題とする。
【課題を解決するための手段】
【００１２】
上記課題を解決するためになされた請求項１に記載の本発明の平面光配索体の端末処理構造は、平面的に並ぶ複数の光ファイバを構成に含む平面光配索体の複数の端末に設けられる構造体として光コネクタを採用する平面光配索体の端末処理構造において、前記光コネクタは、前記端末における前記光ファイバに対しこの光軸に直交方向から前記光ファイバを挟み込むように係合する第一光結合部品及び第二光結合部品を含むことを特徴とする。
【００１３】
請求項２に記載の本発明の平面光配索体の端末処理構造は、請求項１に記載の平面光配索体の端末処理構造に係り、前記第一光結合部品及び前記第二光結合部品のいずれか一方に係止突起を有する可撓性のフック部を形成し、いずれか他方には前記係止突起を引っ掛ける係止凹部を形成し、さらには、前記光ファイバを三点支持する支持手段を前記第一光結合部品及び前記第二光結合部品に跨って形成することを特徴とする。
【００１４】
請求項３に記載の本発明の平面光配索体の端末処理構造は、請求項２に記載の平面光配索体の端末処理構造に係り、前記いずれか一方に、前記直交方向に貫通する角窓を形成し、前記いずれか他方には前記角窓に対応する位置に浅底の凹部を形成することを特徴とする。
【００１５】
請求項４に記載の本発明の平面光配索体の端末処理構造は、請求項２又は３に記載の平面光配索体の端末処理構造に係り、前記第一光結合部品の先端面又は前記第二光結合部品の先端面に相手光コネクタ用ガイド部を形成することを特徴とする。
【００１６】
上記課題を解決するためになされた請求項５に記載の本発明の平面光配索体の端末処理方法は、平面的に並ぶ複数の光ファイバを構成に含む平面光配索体の複数の端末を、前記光ファイバの露出状態に形成する第一工程と、前記端末における前記光ファイバに対しこの光軸に直交方向から前記光ファイバを挟み込むように第一光結合部品及び第二光結合部品を係合させて光コネクタを取り付ける第二工程と、を含むことを特徴とする。
【発明の効果】
【００１７】
請求項１に記載された本発明によれば、平面光配索体の端末における光ファイバに対しこの光軸に直交方向から光ファイバを挟み込むように第一光結合部品及び第二光結合部品を係合させて光コネクタを取り付けることから、従来、特殊で高度の熟練さを必要とする挿入の作業等を行う必要がなくなる。また、光ファイバを挟み込むように第一光結合部品及び第二光結合部品を係合させることから、複数の端末に光コネクタを同時に取り付けることが可能な構造になる。従って、本発明によれば、光コネクタの取り付けに係る作業性の向上を図ることができるという効果を奏する。また、本発明によれば、作業性向上の他に工程の簡素化も図ることが可能であることから、結果、コスト低減や品質向上、量産性の向上を図ることができるという効果を奏する。
【００１８】
請求項２に記載された本発明によれば、係止突起を有する可撓性のフック部と係止凹部とを係合構造として採用することから、構造自体が簡素であるのは勿論のこと、第一光結合部品及び第二光結合部品の係合を容易に行うことができるという効果を奏する。つまり、平面光配索体の端末における光ファイバに対し光コネクタを容易に設けることができるという効果を奏する。また、本発明によれば、光ファイバを三点支持する支持手段を有することから、従来、特殊で高度の熟練さを必要とする位置合わせの作業等を行う必要がなくなる。従って、本発明によれば、光コネクタの取り付けに係る作業性の向上を図ることができるという効果を奏する。
【００１９】
請求項３に記載された本発明によれば、角窓と凹部とを有する構造を採用することから、角窓と凹部との部分で接着剤の充填・硬化をすることができる。従って、本発明によれば、平面光配索体の端末における光ファイバに対し光コネクタを確実に固定することができるという効果を奏する。また、本発明によれば、角窓を利用して治具を挿通したりすれば、治具による光ファイバの押さえつけや、治具による係合部品案内等をすることができる。従って、本発明によれば、光コネクタの取り付けに係る作業性の向上を図ることができるという効果を奏する。
【００２０】
請求項４に記載された本発明によれば、相手光コネクタ用ガイド部を有することから、相手光コネクタとの位置決めをすることができ、低損失で光結合をすることができるという効果を奏する。
【００２１】
請求項５に記載された本発明によれば、光コネクタの取り付けに係る作業性の向上を図り、以て量産性の向上も図ることが可能な平面光配索体の端末処理方法を提供することができるという効果を奏する。
【図面の簡単な説明】
【００２２】
【図１】本発明の平面光配索体の端末処理構造及び端末処理方法に係る図であり、（ａ）は端末にコネクタを取り付けてなる平面光配索体の平面図、（ｂ）は平面光配索体の構成を示す断面図である（実施例１）。
【図２】第一光結合部品に係る図であり、（ａ）は平面図、（ｂ）は正面図、（ｃ）は側面図である。
【図３】第二光結合部品に係る図であり、（ａ）は平面図、（ｂ）は正面図、（ｃ）は側面図である。
【図４】端末処理に係る図であり、（ａ）は第一光結合部品に光ファイバを載せた図、（ｂ）は光ファイバの位置決め及び押さえの図である。
【図５】端末処理に係る図であり、（ａ）は第一光結合部品に第二光結合部品を係合させた図、（ｂ）は接着剤の充填及び硬化の図である。
【図６】端末処理に係る図であり、（ａ）は平面光配索体の図、（ｂ）は端末における被覆除去及びクリーブカットした図である。
【図７】端末処理に係る図であり、（ａ）は端末の光ファイバを第一光結合部品に載せた図、（ｂ）は第一光結合部品に第二光結合部品を係合させた図である。
【図８】第一光結合部品及び第二光結合部品の他の例に係る図である（実施例２）。
【図９】第一光結合部品及び第二光結合部品の更に他の例に係る図である（実施例３）である。
【発明を実施するための形態】
【００２３】
平面的に並ぶ複数の光ファイバを構成に含む平面光配索体の複数の端末に設けられる構造体として光コネクタを採用する。光コネクタは、平面光配索体の端末における光ファイバに対しこの光軸に直交方向から光ファイバを挟み込むように係合する第一光結合部品及び第二光結合部品を含む。
【実施例１】
【００２４】
以下、図面を参照しながら実施例１を説明する。図１は本発明の平面光配索体の端末処理構造及び端末処理方法に係る図である。また、図２は第一光結合部品に係る図、図３は第二光結合部品に係る図、図４〜図７は端末処理に係る図である。
【００２５】
以下の説明において、具体的な形状、材料、数値、方向等は、本発明の理解を容易にするための例示であって、用途、目的、仕様等に合わせて適宜変更することができるものとする。
【００２６】
図１において、例えば車両内の信号伝送に用いられる平面光配索体１は、この複数の端末２に光コネクタ３がそれぞれ取り付けられている。先ず、構成部材について説明をする。
【００２７】
平面光配索体１は、配線を一括化・簡素化・軽量化・省スペース化するための部材であって、ベースフィルム４と、このベースフィルム４の片方の面に設けられる接着剤層５と、接着剤層５に対し平面的に並べて固定される複数の光ファイバ６と、この複数の光ファイバ６を覆うカバーフィルム７とを備えて構成されている。
【００２８】
本実施例の平面光配索体１は、この本体８が四つの辺９〜１２を有する平面視矩形状に形成されている（形状は一例であるものとする）。辺９には、略帯状に突出する端末２が一つ設けられている。辺１０には、端末２が二つ設けられている。辺１１には、端末２が一つ設けられている。尚、辺１２には、端末２が設けられていない（端末２の配置及び数は一例であるものとする）。
【００２９】
本体８における引用符号１３、１４は送り用ガイド穴を示している。この送り用ガイド穴１３、１４は、光コネクタ３の取り付け時（端末処理時）において、一工程毎に進める際に図示しないガイド板との位置合わせをする部分として開口形成されている。送り用ガイド穴１３、１４を形成することにより、位置出しが容易になるのは勿論である。送り用ガイド穴１３、１４は、量産化に有用な部分となっている。
【００３０】
光ファイバ６は、コアとクラッドとを有している。光ファイバ６は、公知のものが用いられている。ベースフィルム４、接着剤層５及びカバーフィルム７も公知のものが用いられている。平面光配索体１の構成部材に関し、材質等の選定は任意であり、特定の材質に限定されないものとする。平面光配索体１は、柔軟性を有する略シート状のものに成されている。
【００３１】
各端末２に取り付けられる光コネクタ３は、光結合相手となる相手光コネクタ１５の嵌合部分として設けられている。光コネクタ３は、構造体であって、第一光結合部品１６と、この第一光結合部品１６に係合する第二光結合部品１７とを備えて構成されている。光コネクタ３においては、端末２への取り付け固定に係り、第一光結合部品１６及び第二光結合部品１７を係合させた状態で充填され、そして硬化すると、端末２との固定が完了する接着剤１８が用いられている。
【００３２】
接着剤１８に関し、ここではシアノアクリレート系接着剤が用いられている。尚、接着剤１８は、上記に限らず例えばエポキシ系、シリコーン系、フェノール系、ウレタン系、アクリル系など、所望の仕様（恒久的な固定）を満たすことができれば特に限定されないものとする。
【００３３】
光コネクタ３に関しては、第一光結合部品１６と第二光結合部品１７とを備えるシンプルな構造が採用されている。また、第一光結合部品１６と第二光結合部品１７とを係合させて端末２に取り付ける構造が採用されている。また、従来のような特殊で高度の熟練さを必要とする挿入の工程等を行わなくとも端末２に対し取り付けをすることができる構造が採用されている。また、複数の端末２に対し同時に取り付けをすることができる構造が採用されている。
【００３４】
コネクタ３は上記の採用構造により、コネクタ３の取り付けに係る作業性の向上を図ることや、工程の簡素化を図ることができるようになっている。コネクタ３を含め全体的に見ると、コスト低減や品質向上、量産性の向上を図ることができるようになっている。以下、コネクタ３の具体的な構造について説明をする。
【００３５】
コネクタ３の構成部品となる第一光結合部品１６及び第二光結合部品１７は、樹脂成型品であって、この樹脂成型においては、以下で説明する形状に高精度で成型することができる樹脂材料が用いられている（例えばエポキシ樹脂やＰＰＳなど）。第一光結合部品１６及び第二光結合部品１７は、端末２における複数の光ファイバ６に対しこの光軸に直交方向から複数の光ファイバ６を一括して挟み込むことができるような係合構造のものに形成されている。
【００３６】
第一光結合部品１６及び第二光結合部品１７は、本実施例において端末２の下側（裏面側）から第一光結合部品１６が、また、端末２の上側（表面側）から第二光結合部品１７が係合するような構造になっている。
【００３７】
図２において、第一光結合部品１６は、前面１９（先端面）、後面２０、左側面２１、右側面２２、上面２３及び下面２４を有している。また、第一光結合部品１６は、前面１９、後面２０、左側面２１、右側面２２及び上面２３を開口するように凹む係合部２５を有している。係合部２５は、第二光結合部品１７に対する係合用の部分として、また、この底位置が端末２に対する取り付け用の部分として形成されている。
【００３８】
前面１９は、相手光コネクタ１５（図１参照）に対向する嵌合面であって、平滑となる平面形状に形成されている。このような前面１９には、嵌合位置決め用のガイド穴２７（相手光コネクタ用ガイド部）が一対形成されている。一対のガイド穴２７は、相手光コネクタ１５の一対の嵌合ピン２６（図１参照）を挿入することができる形状に形成されている。一対のガイド穴２７は、本実施例において丸穴形状に形成されている（形状は特に限定されないものとする。嵌合ピン２６の断面形状に合わせて形成されるものとする）。嵌合ピン２６とガイド穴２７とによる嵌合位置決めは、簡素な構造ながら低損失で光結合を図ることができるという利点を有している。
【００３９】
尚、上記の嵌合位置決めの構造は一例であるものとする。ガイド穴２７は、前面１９に限らず第二光結合部品１７の前面に形成してもよいものとする。
【００４０】
前面１９は、光ファイバ６の端面を複数露出させることができるように形成されている。これは係合部２５に形成される複数のＶ溝ガイド部２８の端部が前面１９において開口するからである。
【００４１】
複数のＶ溝ガイド部２８は、一つ一つがＶ字状となる溝形状に形成されている。複数のＶ溝ガイド部２８は、対応する光ファイバ６を収容することができるように形成されている。光ファイバ６は、Ｖ溝ガイド部２８に収容された後、第二光結合部品１７の後述するＶ溝蓋部３２にてＶ溝ガイド部２８が覆われると、Ｖ溝ガイド部２８及びＶ溝蓋部３２で三点支持されるようになっている（図５（ａ）の三本の矢印参照）。Ｖ溝ガイド部２８及びＶ溝蓋部３２は、光ファイバ６に対する支持手段として機能するように形成されている。すなわち、Ｖ溝ガイド部２８及びＶ溝蓋部３２は、光ファイバ６をガタ付きのない状態に支持（保持）することができる部分として形成されている。
【００４２】
係合部２５における引用符号２９は、平面視略矩形で浅底となる凹部を示している。凹部２９は、接着剤１８を溜める部分として形成されている。凹部２９は、第二光結合部品１７の後述する角窓３３（図３参照）に対応する位置に配置形成されている。
【００４３】
左側面２１及び右側面２２には、第二光結合部品１７の後述するフック部３４（図３参照）に対するフック収容部３０が形成されている。また、フック収容部３０に連続するように係止凹部３１も形成されている。係止凹部３１は、フック部３４に形成される後述の係止突起３５（図３参照）を引っ掛けて係止することができるように形成されている。
【００４４】
図３において、第二光結合部品１７は、第一光結合部品１６における係合部２５（図２参照）の形状に合わせて形成されている。第二光結合部品１７には、Ｖ溝蓋部３２が形成されている。また、第二光結合部品１７には、角窓３３が形成されている。角窓３３は、接着剤１８（図１参照）の充填（滴下）を行う部分として、また、後述する押さえ治具３６（図４（ｂ）参照）の挿通部分として形成されている。角窓３３は、光ファイバ６（図１参照）の光軸に対しこの直交方向に貫通するように形成されている。角窓３３は、矩形状に形成されている。
【００４５】
尚、上記の押さえ治具３６は、端末２（又は光ファイバ６）の押さえつけや、第一光結合部品１６との係合の際の第二光結合部品１７の案内部材として用いられるものとする。
【００４６】
第二光結合部品１７には、一対のフック部３４が形成されている。フック部３４は、可撓性を有しており、アーム状となる形状に形成されている。フック部３４の先端部分には、爪状となる係止突起３５が形成されている。
【００４７】
次に、図４及び図５を参照しながら端末２にコネクタ３を取り付ける処理（作業）について説明をする（以下の説明は一例であるものとする。尚、以下の説明で光ファイバ６が四本あるが、この限りでないものとする。例えば一本でも処理可能であるものとする）。
【００４８】
図４（ａ）において、端末２における複数の光ファイバ６は、この端面が平滑な面となるよう切断された後、第一光結合部品１６の対応するＶ溝ガイド部２８に収容される。光ファイバ６は、この端面が第一光結合部品１６の前面１９に対し面一となるようにＶ溝ガイド部２８に収容される。本実施例においては、前面１９に対し面一となるように収容するために、図示しないダミー突き当てが用いられるものとする。
【００４９】
図４（ｂ）において、第二光結合部品１７は、予め押さえ治具３６に挿通される。押さえ治具３６の挿通部分は角窓３３になる。第二光結合部品１７は、押さえ治具３６にて端末２（複数の光ファイバ６）を押さえつけると、第一光結合部品１６に対向するような位置に配置される。
【００５０】
図５（ａ）において、フック部３４の係止突起３５を係止凹部３１に引っ掛けるようにして第二光結合部品１７を第一光結合部品１６の係合部２５に係合させると、複数の光ファイバ６は一時的に動かない状態に固定される。この時、光ファイバ６は、Ｖ溝ガイド部２８及びＶ溝蓋部３２にて三点支持される。
【００５１】
図５（ｂ）において、押さえ治具３６（図４参照）を引き抜いた後の角窓３３に接着剤１８が充填され（滴下され）、これが硬化すると恒久的な固定状態になり、一連の処理（作業）が完了する。
【００５２】
続いて、図６及び図７を参照しながら複数の端末２にコネクタ３を取り付ける処理（作業）について説明をする（以下の説明は一例であるものとする）。
【００５３】
図６（ａ）において、ここでは図示しない前工程で形成された平面光配索体１が供給される。平面光配索体１は、送り用ガイド穴１３、１４が形成された状態で供給される。尚、端末２は未処理である。
【００５４】
図６（ｂ）において、各端末２では被覆除去とクリーブカットが行われる。被覆（ベースフィルム４、接着剤層５及びカバーフィルム７（図１参照））は、第一光結合部品１６と第二光結合部品１７との係合方向（図５参照。光ファイバ６の光軸に直交方向に一致する）からの図示しないカッターにより除去される。被覆除去は、各端末２を同時に行うことも、一つずつ行うことも可能であるものとする。どちらを選択するかは生産数量、平面光配索体１の形状から決めるものとする。尚、クリーブカットについても上記同様の処理であるものとする。各端末２で被覆除去とクリーブカットが行われると、所定長さで複数の光ファイバ６が露出する。
【００５５】
図７（ａ）及び（ｂ）において、各端末２が第一光結合部品１６に載せられ、この後に第二光結合部品１７が第一光結合部品１６に係合すると、複数の光ファイバ６が一時的に動かない状態に固定される。そして、接着剤１８の充填（滴下）及び硬化により、図１に示す如く恒久的な固定状態になると、一連の処理（作業）が完了する。
【００５６】
以上、図１ないし図７を参照しながら説明してきたように、平面光配索体１の端末２における複数の光ファイバ６に対し、この光軸に直交方向から複数の光ファイバ６を挟み込むように第一光結合部品１６及び第二光結合部品１７を係合させて光コネクタ３を取り付けることから、従来、特殊で高度の熟練さを必要とする挿入の作業等を行う必要がなくなる。また、複数の光ファイバ６を挟み込むように第一光結合部品１６及び第二光結合部品１７を係合させることから、複数の端末２に光コネクタ３を同時に取り付けることが可能な構造になる。従って、本発明によれば、光コネクタ３の取り付けに係る作業性の向上を図ることができるという効果を奏する。また、本発明によれば、作業性向上の他に工程の簡素化も図ることが可能であることから、結果、コスト低減や品質向上、量産性の向上を図ることができるという効果を奏する。
【００５７】
本発明に係る端末処理構造及び端処置方法は、平面光配索体１の形状等に制限されずに応用・活用することができるのは勿論である。
【実施例２】
【００５８】
以下、図面を参照しながら実施例２を説明する。図８は第一光結合部品及び第二光結合部品の他の例に係る図である。
【００５９】
図８において、第一光結合部品４１及び第二光結合部品４２は、これらが係合し合う係合構造を有している。実施例２の係合構造は、実施例１のフック部３４と係止凹部３１とによる係合構造ではなく、第一光結合部品４１に形成された円柱状のポスト４３と、第二光結合部品４２に形成されたポスト圧入穴４４とによる係合構造であるものとする（実施例１と同じ機能を発揮し、同じ効果を奏する）。尚、ポスト４３及びポスト圧入穴４４の配置や数は一例であるものとする。
【００６０】
ポスト４３及びポスト圧入穴４４の係合状態においては、ポスト４３の先端に超音波をかけて加締めにより固定することも有効であるものとする。
【実施例３】
【００６１】
以下、図面を参照しながら実施例３を説明する。図９は第一光結合部品及び第二光結合部品の更に他の例に係る図である。
【００６２】
図９において、第一光結合部品５１及び第二光結合部品５２は、これらが係合し合う係合構造を有している。実施例３の係合構造は、実施例１のフック部３４と係止凹部３１とによる係合構造ではなく、また、実施例２のポスト４３及びポスト圧入穴４４による係合構造ではなく、第一光結合部品５１に形成されたリブ５３と、第二光結合部品５２に形成されたリブ圧入溝５４とによる係合構造であるものとする（実施例１、２と同じ機能を発揮し、同じ効果を奏する）。尚、リブ５３及びリブ圧入溝５４の配置や数は一例であるものとする。
【００６３】
この他、本発明は本発明の主旨を変えない範囲で種々変更実施可能なことは勿論である。
【符号の説明】
【００６４】
１…平面光配索体、  ２…端末、  ３…光コネクタ、  ４…ベースフィルム、  ５…接着剤層、  ６…光ファイバ、  ７…カバーフィルム、  ８…本体、  １３、１４…送り用ガイド穴、  １５…相手光コネクタ、  １６…第一光結合部品、  １７…第二光結合部品、  １８…接着剤、  １９…前面（先端面）、  ２５…係合部、  ２６…嵌合ピン、  ２７…ガイド穴（相手光コネクタ用ガイド部）、  ２８…Ｖ溝ガイド部、  ２９…凹部、  ３０…フック収容部、  ３１…係止凹部、  ３２…Ｖ溝蓋部、  ３３…角窓、  ３４…フック部、  ３５…係止突起、  ３６…押さえ治具、  ４１…第一光結合部品、  ４２…第二光結合部品、  ４３…ポスト、  ４４…ポスト圧入穴、  ５１…第一光結合部品、  ５２…第二光結合部品、  ５３…リブ、  ５４…リブ圧入溝
【図１】
2013156610.tif 000003
【図２】
2013156610.tif 000004
【図３】
2013156610.tif 000005
【図４】
2013156610.tif 000006
【図５】
2013156610.tif 000007
【図６】
2013156610.tif 000008
【図７】
2013156610.tif 000009
【図８】
2013156610.tif 000010
【図９】
2013156610.tif 000011